(57)【特許請求の範囲】
【請求項１】
ラジアル方向の力を受け、回転中心に円筒状の軸受部を有する回転体と、前記軸受部に挿入される支持軸とから構成される回転体支持装置であって、
前記支持軸には、前記軸受部に内接する突起部が円周方向に沿って複数か所に形成されており、
前記回転体が第一方向に回転するときには、前記複数の突起部のうち一組の突起部が前記軸受部に接するとともに残りの突起部と前記軸受部の間には隙間ができた状態となり、
前記回転体が前記第一方向とは逆の第二方向に回転するときには、前記複数の突起部のうち前記一組の突起部とは異なる一組の突起部が前記軸受部に接するとともに残りの突起部と前記軸受部の間には隙間ができた状態となることを特徴とする回転体支持装置。
【請求項２】
前記突起部は隣り合う二ヶ所を一組として、前記回転体の軸受部に接触することを特徴とする請求項１に記載の回転体支持装置。
【請求項３】
前記回転体は駆動を伝達する複数のギア列の中間に配置されるアイドラギアであり、前記アイドラギアは前記支持軸に対して自由に回転可能であることを特徴とする請求項２に記載の回転体支持装置。
【請求項４】
前記支持軸にはそれぞれが曲面を有する４つの前記突起部が形成されていることを特徴とする請求項２に記載の回転体支持装置。
【請求項５】
前記回転体が前記第一方向に回転するときに前記軸受部と接触する２つの前記突起部は、回転時に概ね等荷重がかかるように配置されていることを特徴とする請求項２に記載の回転体支持装置。
【請求項６】
前記支持軸はモールド材料で形成されていることを特徴とする請求項１乃至５のいずれか１項に記載の回転体支持装置。
【請求項７】
前記支持軸は、前記軸受部の内径よりも小さな径の略円柱形状の基部を備え、
前記複数の突起部は、前記基部の外周面に円周方向に沿って形成されていることを特徴とする請求項１乃至６のいずれか１項に記載の回転体支持装置。
【請求項８】
前記回転体は、前記支持軸に固定され前記軸受部を覆う形状を有する回転体規制部材によって、前記支持軸の軸方向への移動を規制されていることを特徴とする請求項１乃至７のいずれか１項に記載の回転体支持装置。
【請求項９】
駆動側の第一ギアから受けた回転力を被駆動側の第二ギアに伝達するアイドラギアと、
前記アイドラギアの軸穴に貫通し、前記アイドラギアを回転可能に支持する支持軸と、
を有する駆動伝達装置であって、
前記支持軸の外周面には第一の突起と第二の突起を含む複数の突起が形成されており、
前記第一ギアが前記アイドラギアに作用する第一の力と、前記第二ギアが前記アイドラギアに作用する第二の力により、前記軸穴の内周面が前記第一の突起及び第二の突起に押しつけられるように、前記第一ギア、前記第二ギア及び前記アイドラギアが配置されており、
前記第一の力と前記第二の力の合力のベクトル方向は、前記軸穴の内周面から前記第一の突起に作用する力のベクトル方向と、前記軸穴の内周面から前記第二の突起に作用する力のベクトル方向の間であることを特徴とする駆動伝達装置。
【請求項１０】
駆動側の第一ギアから受けた回転力を被駆動側の第二ギアに伝達するアイドラギアと、
前記アイドラギアの軸穴に貫通し、前記アイドラギアを回転可能に支持する支持軸と、
を有する駆動伝達装置であって、
前記支持軸の外周面には第一の突起と第二の突起を含む複数の突起が形成されており、
前記第一ギアが前記アイドラギアに作用する第一の力と、前記第二ギアが前記アイドラギアに作用する第二の力により、前記軸穴の内周面が前記第一の突起及び第二の突起に押しつけられるように、前記第一ギア、前記第二ギア及び前記アイドラギアが配置されており、
前記第一の力と前記第二の力の合力のベクトル方向と前記軸穴の内周面から前記第一の突起に作用する力のベクトル方向のなす角度と、前記合力と前記内周面から前記第二の突起に作用する力のベクトル方向のなす角度はほぼ等しいことを特徴とする駆動伝達装置。
【請求項１１】
駆動側の第一ギアから受けた回転力を被駆動側の第二ギアに伝達するアイドラギアと、
前記アイドラギアの軸穴に貫通し、前記アイドラギアを回転可能に支持する支持軸と、
を有する駆動伝達装置であって、
前記支持軸の外周面には第一の組と第二の組を含む複数の突起が形成されており、
前記第一ギアが前記アイドラギアに作用する第一の力と、前記第二ギアが前記アイドラギアに作用する第二の力により、前記軸穴の内周面が前記第一の組と前記第二の組のいずれかの突起に押しつけられるように、前記第一ギア、前記第二ギア及び前記アイドラギアが配置されており、
前記アイドラギアが第一方向に回転するときには、前記第一の組の突起が前記内周面に接するとともに前記第二の組の突起と前記内周面の間には隙間ができた状態となり、
前記アイドラギアが前記第一方向とは逆の第二方向に回転するときには、前記第二の組の突起が前記内周面に接するとともに前記第一の組の突起と前記内周面の間には隙間ができた状態となることを特徴とする駆動伝達装置。
【請求項１２】
請求項９から１１のいずれか１項に記載の駆動伝達装置と、前記第二ギアによって回転力の伝達を受ける搬送手段と、前記搬送手段によって搬送される記録媒体に記録を行う記録手段を有することを特徴とする記録装置。
【発明の詳細な説明】
【技術分野】
【０００１】
本発明は記録装置の搬送手段における、アイドラギアの軸形状に関するものである。
【背景技術】
【０００２】
プリンタなどの記録装置には、用紙の搬送方向と直交する方向に移動するキャリッジに記録ヘッドを搭載し、用紙搬送と記録ヘッドによる用紙への記録とを交互に行う、いわゆるシリアル記録装置がある。
【０００３】
このような記録装置では、記録ヘッドを挟んで用紙搬送方向の上流側に搬送ローラ、下流側に排紙ローラを配置している。用紙の搬送精度を確保するために、搬送ローラにその回転量を検出するためのコードホイールを、記録装置本体にその検出手段であるエンコーダを備えている。また用紙先端部では搬送ローラのみで用紙搬送、用紙中央部では両方のローラで用紙搬送、用紙後端部では排紙ローラのみで用紙搬送、という三つの搬送形態が存在し、それぞれにおいて記録も行っている。
【０００４】
またコストやスペースの制約から、搬送ローラと排紙ローラとを別々に駆動するのではなく、ギアにより両者を接続して一つの駆動源によって駆動する形態が数多く見られる。この場合、両ローラ間の距離によってはそれぞれに設けたギアの中間に、複数のアイドラギアを配置して駆動を接続している。
【０００５】
しかし、このような構成では用紙が搬送ローラを抜けた後、排紙ローラのみで用紙搬送をする場合でも、搬送ローラに設けたコードホイールの情報を元に搬送量を制御することとなる。そのためアイドラギアの姿勢が不安定な場合、例えば回転軸の周面上を移動するような状態であるとギアの伝達精度が劣化、しいては搬送精度が劣化することとなる。
【０００６】
このような問題に対して、アイドラギアの支持軸を従来の丸軸ではなく、平坦部と円弧部とから成る小判形状として、平坦部と円弧部との二つの接続部分、二ヶ所でギア内周面を支持することにより、ギアの姿勢を安定させる形態が提案されている。
【先行技術文献】
【特許文献】
【０００７】
【特許文献１】特開２００６−３５６１３号公報
【発明の概要】
【発明が解決しようとする課題】
【０００８】
しかしながら、特許文献１に記載の軸は平坦部と円弧部とで形成されているため、平坦部を形成するために削られる領域が大きく、通常の丸軸に比べて軸が細くなり、強度が落ちてしまう。強度の低下は軸のたわみの増大につながり、ギアが所定位置からずれてしまい、伝達精度が劣化する原因となっていた。また特許文献１のような金属プレートに金属軸を取り付ける構成ではなく、コストを考慮しモールドのフレームに軸を一体で成形する場合、特許文献１のように小判形状としてしまうと、軸のたわみはさらに大きくなり、さらなる伝達精度の劣化を招くこととなっていた。
【０００９】
また二ヶ所の支持部を離して（角度を開いて）配置しようとすると、平坦部で削られる領域はさらに大きくなる。よって軸強度を考慮すると、支持部の配置に制限が生じていた。
【００１０】
また平坦部と円弧部との境界を支持部とした上で面取りまたは丸みを付加すると、ギアは所定位置からずれてしまう。摩耗を考慮すると、丸みを大きくするべきではあるが、それによってギアの所定位置からのずれがさらに大きくなるため、大きな丸みを確保することが困難となっていた。
【００１１】
本発明はこのような課題を解決し、軸の強度低下を抑え、ギア列における伝達精度の劣化防止を目的とするものである。
【課題を解決するための手段】
【００１２】
上記目的を達成する本発明は、ラジアル方向の力を受け、回転中心に円筒状の軸受部を有する回転体と、前記軸受部に挿入される支持軸とから構成される回転体支持装置であって、前記支持軸には前記軸受部に内接する突起部が円周方向に沿って複数か所に形成されており、前記回転体が第一方向に回転するときには、前記複数の突起部のうち一組の突起部が前記軸受部に接するとともに残りの突起部と前記軸受部の間には隙間ができた状態となり、前記回転体が前記第一方向とは逆の第二方向に回転するときには、前記複数の突起部のうち前記一組の突起部とは異なる一組の突起部が前記軸受部に接するとともに残りの突起部と前記軸受部の間には隙間ができた状態となることを特徴とする。
【発明の効果】
【００１３】
ギア軸受部（内周面）よりも小径の支持軸から曲面を含む突起部を出してギア軸受部を支持することにより、ギアの姿勢を安定させるとともに、軸を極端に細くすることがなく、軸強度を保つことが可能となる。これにより軸のたわみによってギアが所定位置からずれてしまうことを防止できる。
【００１４】
またギア軸受部に内接する曲面を有する突起部を形成したので、曲面の丸みを大きくしても設定通りの軸受角度、ギア位置を維持できる。また丸みを大きくすることで突起部の摩耗高さを減少させることが可能となり、摩耗によって生じるギアの所定位置からのずれが小さくなり、ギア伝達精度劣化を防止できる。
【図面の簡単な説明】
【００１５】
【図１】本発明による記録装置の全体構成を示す斜視図である。
【図２】用紙搬送部と記録部についての側断面図である。
【図３】ギア列についての側面図である。
【図４】アイドラギアの支持軸部についての拡大図である。
【図５】アイドラギアと支持軸についての断面図である。
【発明を実施するための形態】
【００１６】
（実施形態１）
図１は本発明による記録装置の全体構成を示す斜視図、図２は用紙搬送部と記録部についての側断面図である。ここではインクを液滴状にして用紙に吐出して画像を形成する、いわゆるインクジェット記録装置について説明を行っている。
【００１７】
記録装置１は給紙部１００、用紙搬送部２００、記録部３００、記録部のメンテナンスを行う回復部４００などから構成されている。給紙部１００の圧板１０１上に積載された記録媒体である用紙Ｐは、給紙ローラ１０２と図示しない分離機構とにより１枚ずつ分離され、用紙搬送部２００へと搬送される。
【００１８】
用紙搬送部２００に搬送された用紙Ｐは、駆動モータ２０１からタイミングベルト２０２を介して駆動される搬送手段である搬送ローラ２０３とそれに圧接するピンチローラ２０５により挟持され下流側へ搬送される。搬送ローラ２０３の下流にはプラテン２０６が配置されている。プラテン２０６は用紙Ｐの下面を支持し、記録手段である記録ヘッドを備えた記録部３００との距離を一定に保つものである。用紙Ｐは記録部３００により記録を行った後、搬送手段である排紙ローラ２０７とそれに圧接する拍車２０９により挟持され記録装置１外へ排出される。排紙ローラ２０７は、搬送ローラ２０３と同軸に固定された搬送ローラギア２０４、アイドラギア２１０、排紙ローラ２０７と同軸に固定された排紙ローラギア２０８のギア列を経て、駆動モータ２０１の駆動が伝達され、搬送ローラ２０３と同期して回転する。搬送ローラ２０３にはコードホイール２１１が同軸上に固定され、フレーム２に備えられたエンコーダ２１２によって搬送ローラ２０３の回転量を検出する。検出した値は図示しない制御部に転送され、それをもとに用紙Ｐの搬送量を制御する。搬送ローラ２０３は前述したようにピンチローラ２０５によって、また排紙ローラ２０７は図示しない付勢部材によって、それぞれの回転中心が移動しないように付勢されている。
【００１９】
またアイドラギア２１０はフレーム２に一体に設けられた支持軸４（図示せず；後述）に回転可能に嵌めこまれている。アイドラギア２１０にはラジアル方向における付勢部材は設けられておらず、支持軸４に対してラジアル方向には移動可能となっている。軸方向の移動はストッパ５によって規制されている。この理由としてまず、軸４に倒れがあった場合、アイドラギア２１０が軸方向に移動すると、その倒れに沿ってアイドラギア２１０の位置も変化し、搬送ローラギア２０４および排紙ローラギア２０７との位置関係にずれが生じる。このずれは伝達誤差劣化の一因となる。また、搬送ローラギア２０３や排紙ローラギア２０７にフランジを一体で形成した場合、ギアとフランジとの接続部において歯面形状が正規形状に形成されないことがあり、この部分で歯面がかみ合うと伝達精度の劣化を起こしてしまう。またこのフランジにアイドラギア２１０が接触することでも、伝達精度の劣化につながる可能性がある。このような理由から、ストッパ５により軸方向の動きを規制するものである。
【００２０】
記録部３００はインクを収納するインクタンク３０２、インクタンク３０２から供給されたインクを用紙Ｐに水滴状に吐出して記録を行う記録ヘッド３０３、それらを搭載するキャリッジ３０１、制御部とのデータ伝達を行うフレキシブルケーブル３０４などから構成されている。キャリッジ３０１には駆動ベルト３０５が固定されており、図示しない駆動モータによって用紙Ｐの搬送方向Ａと直交する方向にガイドレール３に沿って往復動作を行う。
【００２１】
記録部３００による用紙Ｐへの記録は、用紙Ｐを一定量搬送して停止する、いわゆる間欠搬送を行う搬送部２００の動作、記録部３００の往復動作およびそれと同時に行われる記録ヘッドからのインク吐出動作、とを繰り返して用紙Ｐに画像を形成する。
【００２２】
図２では用紙Ｐは排紙ローラ２０７と拍車２０９とだけに挟持されている状態を示している。用紙Ｐは搬送ローラ２０３に接していないため、用紙搬送量は排紙ローラ２０７の回転量となる。排紙ローラ２０７の回転量は、アイドラギア２１０を介して搬送ローラ２０３に伝達したものを、搬送ローラ２０３に取り付けたコードホイール２１１で検出するため、そこにはギアの伝達誤差が生じる。よって、この状態で高精度な用紙搬送を行うためには、ギアの伝達誤差を極力減らすことが必要となる。
【００２３】
次にギアの伝達誤差の一因であるアイドラギアの姿勢変化を防止し、姿勢を安定させる軸形状についての説明を行う。図３は駆動伝達装置であるギア列についての側面図、図４は回転体であるアイドラギアの回転体支持装置についての拡大図である。アイドラギア２１０は搬送ローラギア２０４の回転力を排紙ローラギア２０８に伝達する。支持軸４は装置の本体側に回転しないように固定されている。アイドラギア２１０の回転中心の円形の軸穴が支持軸４に嵌めこまれている。支持軸４は円筒形状または円柱形状の基部である円筒部４ａと、円筒等部４ａから半径方向に突出する４か所の突起部４ｂ、４ｃ、４ｄ、４ｅとから形成されている。各突起部４ｂ、４ｃ、４ｄ、４ｅは支持軸４の長手方向に同じ断面形状で伸びている凸条の形をしている。前記支持軸はモールド材料で形成されている。すなわち、金型による樹脂成型品である。
【００２４】
ここでは図１で述べたように用紙Ｐを搬送方向Ａに搬送する場合を示しており、アイドラギア２１０はＴで示す主回転方向である、反時計回りに回転する。搬送ローラギア２０４（駆動側のギア、第一のギア）から駆動を受け、排紙ローラギア２０８（被駆動側のギア、第二のギア）に駆動を伝達している状態で、２個の突起部４ｂ，４ｃはアイドラギア２１０の軸穴の内周面２１０ａに接するように形成され、突起部４ｄ、４ｅはアイドラギアの軸穴の内周面２１０ａと所定の隙間ｄ１、ｄ２ができるように形成されている。アイドラギア２１０の内周面２０１ａは支持軸４の突起部４ｂ，４ｃの先端部と線接触している。
【００２５】
通常、支持軸が丸軸の場合、アイドラギア２１０の位置は支持軸４の位置によって規定されている。つまり、搬送ローラギア２０４の中心から搬送ローラギア２０４のピッチ円半径とアイドラギアのピッチ円半径との和に適正バックラッシの値を加えた値を半径として描いた円弧と、排紙ローラギア２０７の中心から排紙ローラギア２０７のピッチ円半径とアイドラギアのピッチ円半径との和に適正バックラッシの値を加えた値を半径として描いた円弧との交点を支持軸の中心としている。しかし、支持軸とギアの穴（軸受部）とには一定の隙間を持たせていることが一般的であるため、その分だけギアの回転中心は上記のように設定した支持軸の中心からずれる可能性がある。
【００２６】
本実施形態では、アイドラギア２１０の中心が前述した二つの円弧の交点となるような配置を、アイドラギア２１０の所定位置と定義し、この所定位置においてアイドラギア２１０の内周面２１０ａに接するように突起部４ｂ、４ｃを形成している。よって、この回転方向においては、前述したような中心位置のずれが発生せず、伝達精度に影響を与えないこととなる。
【００２７】
なお、ここで示したアイドラギアの所定位置の定義は一例である。例えばバックラッシのとりかたであるが、前述のようにバックラッシを軸間距離に加算するのではなく、歯厚を減じることによりバックラッシをとる方法もある。その場合、軸間距離は接続するギア同士のピッチ円半径の和のまま、搬送ローラ、排紙ローラそれぞれの中心から描いた二つの円弧の交点をアイドラギアの中心とした配置が、アイドラギアの所定位置となる。このように設計の仕方により、さまざまにアイドラギアの所定位置を定義できることを言及しておく。
【００２８】
この突起部４ｂ，４ｃの最適位置、水平面からの角度θ１、θ２は、図に示す力およびモーメントのつり合い式から求めることができる。なお符号の詳細説明は別途記載するが、μはアイドラギア２１０と支持軸４との動摩擦係数、αはギアの圧力角、Ｆｇはアイドラギア２１０の自重をそれぞれ表している。力のつり合いは図中Ｘ、Ｙ方向それぞれについて以下のようになる。
−Ｆｆ・ｓｉｎ（θｆ−α）＋Ｆｏ・ｓｉｎ（θｏ−α）＋μ・Ｎ１・ｓｉｎθ１＋μ・Ｎ２・ｓｉｎθ２
＝Ｎ１・ｃｏｓθ１−Ｎ２・ｃｏｓθ２              （Ｘ方向）
−Ｆｆ・ｃｏｓ（θｆ−α）−Ｆｏ・ｃｏｓ（θｏ−α）＋μ・Ｎ１・ｃｏｓθ１−μ・Ｎ２・ｃｏｓθ２
＝−Ｎ１・ｓｉｎθ１−Ｎ２・ｓｉｎθ２＋Ｆｇ      （Ｙ方向）
【００２９】
またモーメントのつり合い式は以下のようになる。
Ｒ・Ｆｆ・ｃｏｓα−Ｒ・Ｆｏ・ｃｏｓα＋Ｔ＝μ・ｒ・Ｎ１＋μ・ｒ・Ｎ２（モーメント）
ここで、
θｆ：送ローラギアのアイドラギア水平線からなす角度
θｏ：排紙ローラギアのアイドラギア水平線からなす角度
Ｆｆ：搬送ローラからの入力荷重
Ｆｏ：排紙ローラの負荷
Ｔ：アイドラギアの慣性モーメント
Ｎ１：支持軸突起部４ｂでの垂直抗力
Ｎ２：支持軸突起部４ｃでの垂直抗力
Ｆ１：支持軸突起部４ｂでの摩擦力（＝μ・Ｎ１）
Ｆ２：支持軸突起部４ｃでの摩擦力（＝μ・Ｎ２）
θ１：支持軸突起部４ｂのアイドラギア水平線からなす角度
θ２：支持軸突起部４ｃのアイドラギア水平線からなす角度
α：ギア圧力角
Ｒ：ギアピッチ円半径
ｒ：アイドラギア軸受部内径
μ：アイドラギアと支持軸との摩擦係数
θ３：支持軸突起部４ｄのアイドラギア水平線からなす角度
θ４：支持軸突起部４ｅのアイドラギア水平線からなす角度
これら三式を支持軸４の突起部４ｂ，４ｃにかかる垂直抗力Ｎ１、Ｎ２が同じ値となる条件下で解くことにより、垂直抗力Ｎ１（＝Ｎ２）に対する最適角度θ１、θ２の関係式を算出することができる。なお垂直抗力Ｎ１、Ｎ２を同じ値とするのは、荷重の均等による姿勢の安定、また耐久における摩耗の均等化を図るためである。
【００３０】
垂直抗力Ｎ１＝Ｎ２の条件下では、θ１とθ２との角度差は一定となる。これはアイドラギア２１０に働く総荷重を突起部４ｂ，４ｃに均等に振り分けることになるためである。
【００３１】
また角度θ１、θ２が大きくなれば垂直抗力Ｎ１（＝Ｎ２）は小さくなり、逆にθ１、θ２を小さくすれば垂直抗力Ｎ１（＝Ｎ２）は大きくなる。前者を採用すれば摩耗を減少することができ、後者を採用すればギアの安定を増加させることができる。つまり摩耗とギアの安定のバランスを考慮しつつ、最適角度を決定することが可能である。このようにアイドラギア２１０を支持する突起部４ｂ、４ｃの位置を変更したとしても、支持軸４の形状は大きく変化しないため、支持軸４の強度を減少させることがない。
【００３２】
上記の式を用いて角度θ１、θ２の理想的な値を算出することができる。しかし、突起４ｂからアイドラギア２１０に作用する垂直効力Ｎ１と突起４ｃからアイドラギア２１０に作用する垂直効力Ｎ２の差が極端に大きくならない範囲であれば実用には支障はない。すなわち、アイドラギア２１０が搬送ローラギア２０４から受ける力Ｆｆと排紙ローラギア２０８から受ける力Ｆｏによってアイドラギア２１０の軸穴の内周面が２１０ａが突起４ｂと突起４ｃの双方に押しつけられれば良い。
【００３３】
あるいは、アイドラギア２１０の回転中心から引いた、搬送ローラギア２０４から受ける力Ｆｆと排紙ローラギア２０８から受ける力Ｆｏの合力の方向は、アイドラギアの軸穴の内周面から突起部４ｂ、４ｃに作用する力の方向（垂直効力Ｎ１、Ｎ２の逆の方向）間にあるようにしてもよい。
【００３４】
またアイドラギア２１０が搬送ローラギア２０４から受ける力Ｆｆと排紙ローラギア２０８から受ける力Ｆｏの合力ベクトルをアイドラギア２１０の回転中心から引いたとき、その合力ベクトルとＮ１がなす角度と、合力ベクトルとＮ２がなす角度とが等しいか、ほぼ等しくなるようにθ１、θ２を決めてもよい。
【００３５】
次に搬送ローラギアを逆回転させた場合にはＦｆ、Ｆｏは逆方向に働くため、アイドラギア２１０はＹ正方向に移動することとなり、突起部４ｄ、４ｅに接触することになる。この突起部４ｄ、４ｅの配置角度（θ３、θ４）については、前述した力とモーメントのつり合いから同様に求めることができる。またこの場合にはアイドラギア２１０は前述の所定位置から移動してしまうが、アイドラギア２１０の内周面２１０ａと突起部４ｄとの隙間ｄ１、４ｅとの隙間ｄ２を、通常の丸軸と穴との嵌め合い公差に等しい隙間とすることにより、アイドラギア２１０の回転中心のずれを丸軸と同程度に抑えられる。本実施形態の記録装置においては、逆方向に搬送ローラ２０３を回転させながら記録を行うことはなく、高い搬送精度つまりギア列に高い伝達精度が要求されないため、こうした配置としている。換言すれば、伝達精度の要求が高い正方向で接する突起部は前述したアイドラギアの所定位置に合わせて形成し、その逆転方向、伝達精度の要求が低い方向で接する突起部は隙間をあけて形成しているのである。
【００３６】
図５はアイドラギアと支持軸についての断面図である。アイドラギア２１０には円筒部２１０ｂが設けられている。この円筒部２１０ｂの内周には、支持軸４と接触する内周面２１０ａよりもやや大径とした段付き部２１０ｃが長さ２１０ｄだけ設けられている。
【００３７】
ストッパ５の先端部には、アイドラギア２１０の円筒部２１０ｂの外径よりもやや大きい直径５ａを有する円筒部５ｂが形成されていて、取り付け状態においてアイドラギア２１０の円筒部２１０ｂを覆っている。またストッパ５には支持軸４を貫通する爪部５ｃが形成されていて、軸方向の位置を規制している。これによりアイドラギア２１０の軸方向の動きは隙間ｅに規制されている。
このような形状にすることにより、アイドラギア２１０と支持軸４の間に摩耗を軽減するためにグリスなどの潤滑剤を塗布しなければならない場合でも、アイドラギア２１０の段付き部２１０ｃが過剰なグリスのトラップ部となる。またストッパ５に設けた円盤部５ｃが遮蔽板となり、外部へのグリス飛散を防止することが可能となる。
【００３８】
以上、説明したようにアイドラギアの内周面を二点で受けてアイドラギアの姿勢を安定させ、伝達精度劣化を防止する軸形状について、アイドラギアの支持軸形状を略円筒形状から突起部を出した形状とした。これにより、従来よりも支持軸の強度低下が少なくなり、支持軸の倒れによるアイドラギアの軸方向移動によるアイドラギアの所定位置からの移動を防止できる。しいては、アイドラギアを介して搬送ローラと接続される排紙ローラを、搬送ローラに設けたコードホイールの検出結果を元に制御する場合において、伝達精度の劣化を防止できるため、より高い用紙搬送精度が実現可能となる。これらは、特に支持軸に金属ではなくモールド材を使用する場合に効果が大きい。
【００３９】
また、ここでは支持軸を円筒形状として、その外周面から曲面を含む突起部を形成したが、支持軸の形状は円筒形状に限らず、同様に突起部の形状には平面を含んでいても問題ないことは、容易に考えられるところである。
また、ここでは記録装置の搬送部について説明を行ったが、ギア列を有し、伝達精度を要求されるものであれば適用可能な技術であることは言うまでもない。
【符号の説明】
【００４０】
１  記録装置
４  支持軸
４ａ  円筒部
４ｂ〜４ｅ  突起部
５  ストッパ
１００  給紙部
２００  用紙搬送部
２０３  搬送ローラ
２０４  搬送ローラギア
２０７  排紙ローラ
２０８  排紙ローラギア
２１０  アイドラギア
２１０ａ  アイドラギア内周面
ｄ１、ｄ２  アイドラギアと支持軸突起部との隙間
θｆ  搬送ローラギアのアイドラギア水平線からなす角度
θｏ  排紙ローラギアのアイドラギア水平線からなす角度
Ｆｆ  搬送ローラからの入力荷重
Ｆｏ  排紙ローラの負荷
Ｔ  アイドラギアの慣性モーメント
Ｎ１  支持軸突起部４ｂでの垂直抗力
Ｎ２  支持軸突起部４ｃでの垂直抗力
Ｆ１  支持軸突起部４ｂでの摩擦力（＝μ・Ｎ１）
Ｆ２  支持軸突起部４ｃでの摩擦力（＝μ・Ｎ２）
θ１  支持軸突起部４ｂのアイドラギア水平線からなす角度
θ２  支持軸突起部４ｃのアイドラギア水平線からなす角度
α  ギア圧力角
Ｒ  ギアピッチ円半径
ｒ  アイドラギア軸受部内径
μ  アイドラギアと支持軸との摩擦係数
θ３  支持軸突起部４ｄのアイドラギア水平線からなす角度
θ４  支持軸突起部４ｅのアイドラギア水平線からなす角度
【図１】
0005754945.tif 000002
【図２】
0005754945.tif 000003
【図３】
0005754945.tif 000004
【図４】
0005754945.tif 000005
【図５】
0005754945.tif 000006